(57)【要約】【課題】  釣り場においても簡易に魚の重さを知ることのできる釣り竿を提供する。【解決手段】  手先側竿体２と手元側竿体１とに亘って両者の相対移動の起点となる基準位置に復帰させるコイルバネ６を設ける。手元側竿体１に魚を吊下げ支持するギャフ５を設け、基準位置から手先側竿体２と手元側竿体１との相対移動量を吊下げた魚の重量として表示する目盛り２Ｂを手先側竿体２に備えている。【選択図】        図２
2008263842.tif 000002
【特許請求の範囲】
【請求項１】
手先側竿体と手元側竿体とを、相対移動可能に外嵌する非釣り操作状態と、前記手元側竿体と前記手先側竿体とを互いに嵌合保持させる釣り操作状態とに切り換え可能に構成するとともに、前記手先側竿体と前記手元側竿体とに亘って両者の相対移動の起点となる基準位置に復帰させる付勢手段を設け、前記手先側竿体と前記手元側竿体とのいずれか一方に測定対象物を吊下げ支持する係止機構を設け、前記基準位置から前記手先側竿体と前記手元側竿体との相対移動量を吊下げた測定対象物の重量として表示する表示手段を備えている釣り竿。
【請求項２】
前記手元側竿体に対して前記係止機構を構成するギャフを着脱自在に取付構成するとともに、前記付勢手段としてのコイルバネの一端を前記手先側竿体に係止し、前記コイルバネの他端を前記ギャフにおける前記手元側竿体に対する係止基端部に係止し、前記表示手段として前記手元側竿体または前記手先側竿体の少なくとも一方に目盛りを設けてある請求項１記載の釣り竿。
【発明の詳細な説明】
【技術分野】
【０００１】
手先側竿体と手元側竿体とを備えている釣り竿に関する。
【背景技術】
【０００２】
釣り竿は、手先側竿体と手元側竿体とに釣り糸ガイドやリールシートを取付けているが、直接、釣り操作に関係しない道具類は取り付けられてはいなかった（特許文献１参照）。
【０００３】
【特許文献１】特開平０９−１１５号公報（段落番号〔００１０〕、及び、図１）
【発明の開示】
【発明が解決しようとする課題】
【０００４】
上記したような釣り竿において、釣り上げた魚の重さを図る場合には、秤を備えた自宅や釣り宿等で行うのが通常であり、釣り場で行うには、別途、秤を釣り具とともに持参する必要があった。
【０００５】
本発明の目的は、釣り場においても簡易に魚等の測定対象物の重さを知ることのできる釣り竿を提供する点にある。
【課題を解決するための手段】
【０００６】
〔構成〕
請求項１に係る発明の特徴構成は、手先側竿体と手元側竿体とを、相対移動可能に外嵌する非釣り操作状態と、前記手元側竿体と前記手先側竿体とを互いに嵌合保持させる釣り操作状態とに切り換え可能に構成するとともに、前記手先側竿体と前記手元側竿体とに亘って両者の相対移動の起点となる基準位置に復帰させる付勢手段を設け、前記手先側竿体と前記手元側竿体とのいずれか一方に測定対象物を吊下げ支持する係止機構を設け、前記基準位置から前記手先側竿体と前記手元側竿体との相対移動量を吊下げた測定対象物の重量として表示する表示手段を備えている点にあり、その作用効果は次の通りである。
【０００７】
〔作用〕
つまり、前記手元側竿体と前記手先側竿体とを互いに嵌合保持させると、通常の釣り操作状態に切り換えることができる。
一方、非釣り操作状態において、釣り竿に備えられた係止機構で測定対象物を吊下げ支持すると、付勢手段の付勢力に抗して、前記手元側竿体と前記手先側竿体とが相対移動する。測定対象物の重さと付勢力とが釣り合ったところで、前記手元側竿体と前記手先側竿体との相対移動が止まる。
この状態で、表示装置の数値を確認することによって、測定対象物の重さを釣り場で知ることができる。
【０００８】
〔効果〕
以上のように、釣り竿に係止機構、付勢手段、表示装置を備えて非釣り操作状態に切り換えることができるので、魚の重さ等の測定対象物の重さを秤を持参することなく簡易に釣り場で知ることができ、釣りの面白さ、及び、釣果を争う競技的側面を強化できる。
【０００９】
請求項２に係る発明の特徴構成は、前記手元側竿体に対して前記係止機構を構成するギャフを着脱自在に取付構成するとともに、前記付勢手段としてのコイルバネの一端を前記手先側竿体に係止し、前記コイルバネの他端を前記ギャフにおける前記手元側竿体に対する係止基端部に係止し、前記表示手段として前記手元側竿体または前記手先側竿体の少なくとも一方に目盛りを設けてある点にあり、その作用効果は次の通りである。
【００１０】
〔作用効果〕
つまり、釣り竿に設けるについて釣り操作に支障を来たさない目盛りを前記手元側竿体または前記手先側竿体の少なくとも一方に設け、魚を吊下げ支持するギャフについては着脱自在に構成して、釣り操作状態での支障にならない措置を講ずるようにするとともに、付勢手段を構成するコイルバネの一端をギャフに係止する構成によって、釣り操作状態では、付勢手段を作用させない状態に切り換えることができる。
したがって、前記手元側竿体と前記手先側竿体とを、釣り操作状態と非釣り操作状態とに容易に切り換えることができ、前記手元側竿体と前記手先側竿体とを秤として使用できることを、より使い易いものとできる。
【発明を実施するための最良の形態】
【００１１】
〔第１実施形態〕
釣り竿Ａは、図１に示すように、手元側竿体１と手先側竿体２とを備えている。手元側竿体１は、緩やかに内外径を竿尻端に向けて拡大させる筒状体１Ａの外周側に補強筒状体１Ｂとリールシート３とを装着して構成してある。
【００１２】
筒状体１Ａは、図示してはいないが、炭素繊維等の強化繊維を引き揃えたものにエポキシ等の熱硬化性樹脂を含浸させて形成したプリプレグシートを所定形状のマンドレルに巻回し、焼成後所定長さに裁断して形成したものである。補強筒状体１Ｂも同様に形成したものである。
【００１３】
リールシート３は、円周方向一方に固定フード３Ａと１８０°反対側に指を当て付けるトリガー３Ｂとを竿尻端側に配置した筒状本体３Ｃを一体形成するとともに、筒状本体３Ｃにスライド移動自在に可動フード３Ｄを取り付けて構成されている。筒状本体３Ｃを筒状体１Ａに外嵌装着してリールシート３を筒状体１Ａに取り付けてある。
リールシート３としては、ＰＢＴ等のエンジニアリング樹脂で一体形成するか、チタンやアルミ等の軽量金属で製作する。
【００１４】
図１（イ）（ロ）に示すように、筒状体１Ａの竿尻端における内周面には、内ネジ部１ａが形成され、尻栓４を取り付け可能に構成してある。補強筒状体１Ｂの円周上対角位置に、補強板部１ｂを張り付け固定し、その二つの補強板部１ｂ、１ｂを結ぶ線上に貫通孔１ｃ、１ｃを形成し、後記する測定対象物たる魚を係止する係止機構Ｂとしてのギャフ５の係止基端部５Ａを挿通可能に構成してある。
【００１５】
ギャフ５は、図１に示すように、直線状の係止基端部５Ａの先端にネジ部５ａを形成するとともに、係止基端部５Ａを屈曲形成して斜め部５Ｂを延出し、斜め部５Ｂの先端に魚を係止する引掛け係止部５Ｃを形成し、係止基端部５Ａの斜め部５Ｂ近傍に位置規制板５Ｄを取り付けて構成してある。
【００１６】
手先側竿体２の構成について説明する。図１に示すように、手先側竿体２も手元側竿体１の筒状体１Ａと同様に、プリプレグシートを巻回して形成されており、長手方向の中程に、係止ピン２Ａを貫通固定してある。手先側竿体２内には、付勢手段としてのコイルバネ６の一端を係止ピン２Ａに係止し、他端を手元側竿体１の竿尻端開口より突出させる状態で収納してある。
【００１７】
図１及び図２に示すように、手先側竿体２の外周面における中間位置に、目盛り２Ｂが付設してあり、ギャフ５が吊下げる魚の重量を表示するようになっている。つまり、以上のような構成になる手元側竿体１にギャフ５の係止基端部５Ａを貫通孔１ｃ、１ｃに貫通させた状態で先端のネジ部５ａにナット７を螺合させて取付け、コイルバネ６を収納した手先側竿体２を手元側竿体１内に収納し、コイルバネ６の他端をギャフ５の係止基端部５Ａに係止する。このコイルバネ６の自然長に相当するように、手先側竿体２を手元側竿体１内に収納位置させることによって、基準位置を現出する。
上記した基準位置より手元側竿体１と手先側竿体２との相対変位量に対応する魚の重量を印した目盛り２Ｂを印してある。
【００１８】
このような構成により、図２に示すように、ギャフ５に魚を係止し、手先側竿体２を持って吊下げると、魚の重みで手元側竿体１が手先側竿体２に対して下降し、コイルバネ６の伸びと魚の重量とがつり合ったところで、手元側竿体１の下降が停止し、手元側竿体１の上端位置ａと合致した目盛り２Ｂ位置が魚の重量を示している。
以上が魚の重量を計測する場合の状態を示し、手先側竿体２と手元側竿体１とを、手元側竿体１を相対移動可能に外嵌する非釣り操作状態と称する。
【００１９】
手先側竿体２と手元側竿体１とを、非釣り操作状態から釣り操作状態に切り換える構成について説明する。図１（ロ）に示すように、まず、ナット７を緩めてギャフ５を手元側竿体１から取外すとともに、手先側竿体２を竿先側に引き出して、手先側竿体２の竿尻側端部２Ｃの外周面を手元側竿体１の竿先側端部１Ｃの内周面に圧接させることによって、手先側竿体２は手元側竿体１に抜け止め保持される。
【００２０】
この場合に、コイルバネ６は他端側フック６Ｂをギャフ５から取り外され、一端側フック６Ａを係止ピン２Ａに係止させた状態で手先側竿体２内に収納されたままである。一方、手元側竿体１の竿尻端に尻栓４を螺着して、開口端を閉塞する。リールシート３にリールを取り付けた状態で釣り操作状態に切り換えることができる。
【００２１】
上記釣り竿の構成においては、魚の重さを図るのに使用したが、リールのドラグ力調整にも利用できる。つまり、リールシート３にリールを装着し、リールから繰り出した釣り糸を手先側竿体２のガイドに固定するとともに、ギャフ５を引き操作することによって、釣り糸がドラグ力に抗してリールから繰り出される時点を掴み、ドラグ力を調節することができる。
【００２２】
〔第２実施形態〕
この第２実施形態では、付勢手段としてのコイルバネ６を手先側竿体２の竿尻端と手元側竿体１の竿尻端との間に介在させるものについて説明する。図３に示すように、手先側竿体２としては、必ずしも、第１実施形態で示したように、筒状体である必要はなく、中実棒状のものであってもよい。この手先側竿体２に釣り糸ガイド２Ｄを取り付けるとともに魚の重量を示す目盛り２Ｂが印されている。手先側竿体２の竿尻端には、コイルバネ６の一端が係止されている。
【００２３】
図３に示すように、手先側竿体２の竿尻端には、尻栓８が螺着してあり、この尻栓８に対して係止ピン８ａが取付固定してあり、コイルバネ６のフック６Ａを係止するように構成してある。
【００２４】
手元側竿体１について説明する。手元側竿体１については、第１実施形態で示したように、プリプレグシートによる筒状体に形成し、竿尻端の構造が異なっている。図３に示すように、手元側竿体１の竿尻端に開口部１ｄを形成するとともに、開口部１ｄを閉塞する開閉蓋部９を螺合してある。
【００２５】
図３に示すように、開閉蓋部９の内面には、凹入係合部９Ａが設けてあり、この凹入係合部９Ａに係入保持された円盤状の係止具１０が回転自在に保持されている。係止具１０には、係止リング１０ａが固着されており、コイルバネ６のフック６Ｂを引掛け係止すべく構成してある。
一方、開閉蓋部９の外側後向き面には、ギャフ５がネジを利用して螺合されて取り付けられており、釣り上げられた魚を計量する際に、使用される。
【００２６】
以上のような構成によって、釣上げた魚を計量する際には、ギャフ５に魚を引掛け手先側竿体２を握って吊下げることによって、魚の重量とコイルバネ６との付勢力がつり合ったところで、手先側竿体２と手元側竿体１との相対移動が停止した状態で、手先側竿体２に印した目盛り２Ｂ位置を確認する。
【００２７】
つまり、手元側竿体１の竿尻端との合致した、手先側竿体２に印した目盛り２Ｂより魚の測定重量を読み取ることができる。
魚の計量が終わった後は、釣り竿Ａを釣り操作状態に戻すために、ギャフ５を開閉蓋部９から取外す。取り外したギャフ５は、図示していないが、開閉蓋部９に取り付けてある係止具１０に取り付ける方法を採れば、ギャフ５の仕舞い処理に苦慮することはない。
【００２８】
ギャフ５を取り外した後には、開閉蓋部９を取外し、コイルバネ６と開閉蓋部９との連係を断って、手先側竿体２と手元側竿体１との連係を解除して手先側竿体２を手元側竿体１に対して引き出した状態に切り換える。
手先側竿体２を手元側竿体１に対して引き出した状態で、図示してはいないが、手先側竿体２の竿尻側端部の外周面を手元側竿体１の竿先側端部の内周面に圧接させることによって、手先側竿体２を手元側竿体１より引き出した釣り操作状態に切り換えることができる。
【００２９】
〔別実施形態〕
（１）第１実施形態に基づいた変形例について説明する。図４に示めすように、手元側竿体１に長方形状の覗き窓１Ｄを形成するとともに、覗き窓１Ｄの縁部に魚の重量表示の為の目盛り１Ｅを刻設する。手元側竿体１の竿尻端には前記したギャフ５が取り付けてある。
一方、手元側竿体１の中には、手先側竿体２が収納されるが、前記したように、手先側竿体２にコイルバネ６が連係してあり、コイルバネ６の一端側フック６Ｂをギャフ５の係止基端部５Ａに係止して、コイルバネ６を手先側竿体２と手元側竿体１とに亘って掛け渡してある。
【００３０】
このような構成によって、ギャフ５に釣上げた魚を係止して、手先側竿体２を持って吊下げると、魚の重量とコイルバネ６の付勢力が釣り合った状態で、手先側竿体２と手元側竿体１との相対移動が止まるが、その止まった状態での手先側竿体２の竿尻端が示す目盛り１Ｅ位置で魚の重量を図ることができる。
以上のように構成することによって、手先側竿体２に目盛り１Ｅを設ける必要がなく、かつ、魚を吊下げる際に、目視し易い位置に目盛り１Ｅを設けることができる。
【００３１】
（２）魚を計量する際に使用する魚係止機構Ｂとして、ギャフ５を提示したが、その他、魚を包み込むように係止する袋状のものや、左右から挟み込むもの等が使用できる。
【００３２】
（３）付勢手段としては、コイルバネ以外にトーションスプリング等のバネやゴム等の柔軟材を使用できる。
【００３３】
（４）基準位置から前記手先側竿体と前記手元側竿体との相対移動量を吊下げた魚の重量として表示する表示手段としては、例えば、前記手元側竿体１にラック、前記手先側竿体２にピニオンを取付け、相対移動に掛かるピンオンの回転を指針に伝達して重量表示を行う等の他の表示手段を考慮することができる。
【００３４】
（５）表示を行う表示手段としては、ギャフ５等を取り付けた手元側竿体１に、歪センサを取り付け、魚をギャフ５に取付た状態でその手元側竿体１に発生する歪を捉えて、手元側竿体１に作用した荷重を逆算して魚の重さとして、表示する液晶表示装置等を装備してもよい。
【図面の簡単な説明】
【００３５】
【図１】（イ）手元側竿体と手先側竿体とを釣り操作状態に切り換え、かつ、魚を吊下げる前の状態を示す縦断側面図、（ロ）ギャフを取外し、手先側竿体を手元側竿体から引き出して釣り操作状態に切り換えた状態を示す縦断側面図
【図２】魚をギャフに吊下げて計量している状態を示す縦断側面図
【図３】手元側竿体と手先側竿体とを非釣り操作状態に切り換えた、別実施構造を示す縦断側面図
【図４】表示装置として手元側竿体に覗き窓を設け、その縁部に目盛りを設けている状態を示す側面図
【符号の説明】
【００３６】
１            手元側竿体
２            手先側竿体
２Ｂ          目盛り（表示手段）
５            ギャフ
５Ａ          係止基端部
６            コイルバネ（付勢手段）
Ｂ            魚係止機構
【図１】
2008263842.tif 000003
【図２】
2008263842.tif 000004
【図３】
2008263842.tif 000005
【図４】
2008263842.tif 000006